(57)【要約】【課題】異なる仕様の電池パックでも充電可能とする。【解決手段】充電装置は、充電対象の第一の電池パック３Ａを着脱自在に装着する装着部１１を上面に有する外ケース１０と、前記外ケース１０に内蔵される充電回路５と、前記装着部１１に着脱自在に装着されるアダプタ２とを備えている。前記アダプタ２は、ケーシング２０と、前記ケーシング２０の一部であって、前記装着部１１に装着される際に接合される被装着部２９と、前記ケーシング２０の前記被装着部２９とは異なる部位に設けられて、前記第一の電池パック３Ａとは異なる形状の第二の電池パック３Ｂを着脱自在に装着するサブ装着部２１とを有している。【選択図】図７
2014100033.tif 000002
【特許請求の範囲】
【請求項１】
充電対象の第一の電池パックを着脱自在に装着する装着部を上面に有する外ケースと、
前記外ケースに内蔵される充電回路と、
前記装着部に着脱自在に装着されるアダプタと
を備える充電装置であって、
前記アダプタは、
ケーシングと、
前記ケーシングの一部であって、前記装着部に装着される際に接合される被装着部と、
前記ケーシングの前記被装着部とは異なる部位に設けられて、前記第一の電池パックとは異なる形状の第二の電池パックを着脱自在に装着するサブ装着部とを有することを特徴とする充電装置。
【請求項２】
請求項１に記載の充電装置であって、
前記外ケースは、第一の電池パックに設けた外部端子が接続される接続端子を前記装着部に表出して備えており、
前記アダプタは、前記接続端子に接続されるアダプタ側外部端子を前記ケーシングに表出して備えると共に、第二の電池パックに設けた外部端子が接続されるアダプタ側接続端子を前記サブ装着部に表出して備えており、
前記アダプタ側外部端子と前記アダプタ側接続端子とが、前記ケーシングの内部において接続されてなることを特徴とする充電装置。
【請求項３】
請求項１または２に記載の充電装置であって、
前記ケーシングは、前記アダプタが前記外ケースの装着部に装着される状態で、前記外ケースから突出する突出部を有しており、
前記突出部は、その底面に、前記ケーシング内の水を排出するための水抜き孔を開口してなることを特徴とする充電装置。
【請求項４】
請求項１から３のいずれか一に記載の充電装置であって、
前記外ケースは、上面に操作ボタンを備えると共に、該操作ボタンを前記装着部に隣接して配置しており、
前記ケーシングは、前記サブ装着部の両側に沿って側壁部を備えており、
前記側壁部は、前記アダプタが前記外ケースの装着部に装着される状態で、前記装着部の両側に突出する形状であって、前記操作ボタンと対向する位置に切欠部が形成されており、該切欠部を、前記操作ボタンの上方を開放する形状としてなることを特徴とする充電装置。
【請求項５】
請求項４に記載の充電装置であって、
前記切欠部が、前記サブ装着部の両側に設けられた前記側壁部の対向する部位に形成されてなることを特徴とする電源装置。
【請求項６】
請求項４または５に記載の充電装置であって、
前記外ケースが、装着される電池パックを放電する放電回路を内蔵しており、
前記操作ボタンが、装着される電池パックのキャリブレーションを開始する押しボタンであることを特徴とする充電装置。
【請求項７】
請求項１から６のいずれか一に記載の充電装置であって、
前記外ケースは、前記装着部に装着される前記アダプタを、アダプタ連結機構を介して着脱自在に固定すると共に、
前記アダプタは、前記サブ装着部に装着される第二の電池パックを、第二の連結機構を介して着脱自在に固定するようにしており、
前記アダプタ連結機構の着脱力を前記第二の連結機構の着脱力よりも大きくして、前記アダプタを第二の電池パックをよりも取り外し難くしてなることを特徴とする充電装置。
【請求項８】
請求項１ないし７のいずれか一に記載の充電装置であって、
前記外ケースが、前記装着部を複数備えてなることを特徴とする充電装置。
【請求項９】
請求項４から６のいずれか一に記載の充電装置であって、
前記外ケースが、上面の両側に装着部を備えており、互いに隣接する前記装着部の間に、前記操作ボタンを設けてなることを特徴とする充電装置。
【請求項１０】
第一の電池パックを装着して充電する充電器の、該第一の電池パックを装着する装着部に装着可能な充電器用アダプタであって、
ケーシングと、
前記ケーシングの一部であって、装着部と装着される際に接合される被装着部と、
前記ケーシングの前記被装着部とは異なる部位に、第一の電池パックとは異なる形状の第二の電池パックを着脱自在に装着するサブ装着部を有することを特徴とする充電器用アダプタ。
【発明の詳細な説明】
【技術分野】
【０００１】
本発明は、異なるタイプの電池パックを装着して充電する充電装置及び充電器用アダプタに関する。
【背景技術】
【０００２】
電池駆動機器に装着されて電力を供給する電池パックは、繰り返し充電することで便利に使用できる。電池パックは、電池駆動機器の機種が異なると、容量や充電電流等の仕様が異なることがある。このため、誤った電池パックと充電器の組み合わせを避けるために、物理的に接続できないような構成とすることが行われている。
【０００３】
しかしながら、電池パックと充電器の組み合わせを一対一とすると、ユーザは使用している電池パック毎に充電器を用意しなければならず、煩雑である。特に携帯型の電池駆動機器を複数使用する場合は、充電器もこれに応じてそれぞれを携行する必要がある。一般に充電器は嵩張るため、複数台の充電器を携行することは利便性に劣る。
【０００４】
そこで、一の充電器でもって複数の異なる種類の電池パックを充電可能とすることが考えられる。しかしながら、充電電流などの仕様については対応できるものの、物理的に装着部分の形状を異ならせている場合は、装着面の物理的な形状の違いによって装着が阻害されるという問題があった。
【先行技術文献】
【特許文献】
【０００５】
【特許文献１】特開２０１２−１２４９９７号公報
【発明の概要】
【発明が解決しようとする課題】
【０００６】
本発明は、従来のこのような問題点を解決することを目的になされたものである。本発明の主な目的は、異なる仕様の電池パックでも充電可能とした充電装置及び充電器用アダプタを提供することにある。
【課題を解決するための手段及び発明の効果】
【０００７】
上記の目的を達成するために、本発明の充電装置によれば、充電対象の第一の電池パック３Ａを着脱自在に装着する装着部１１を上面に有する外ケース１０と、前記外ケース１０に内蔵される充電回路５と、前記装着部１１に着脱自在に装着されるアダプタ２とを備える充電装置であって、前記アダプタ２は、ケーシング２０と、前記ケーシング２０の一部であって、前記装着部１１に装着される際に接合される被装着部２９と、前記ケーシング２０の前記被装着部２９とは異なる部位に設けられて、前記第一の電池パック３Ａとは異なる形状の第二の電池パック３Ｂを着脱自在に装着するサブ装着部２１とを有することを特徴とする。
上記構成により、異なる仕様の電池パックであっても、装着部にセットされるアダプタを介してセットして、簡単かつ容易に充電できる。このため、携帯型の電池駆動機器を複数使用する場合においても、複数台の充電器を携行することなく、仕様の異なる電池パックを便利に充電できる。
【０００８】
本発明の他の充電装置によれば、前記外ケース１０は、第一の電池パック３Ａに設けた外部端子３６が接続される接続端子１５を前記装着部１１に表出して備えて、前記アダプタ２は、前記接続端子１５に接続されるアダプタ側外部端子２６を前記ケーシング２０に表出して備えると共に、第二の電池パック３Ｂに設けた外部端子４６が接続されるアダプタ側接続端子２５を前記サブ装着部２１に表出して備えて、前記アダプタ側外部端子２６と前記アダプタ側接続端子２５とを、前記ケーシング２０の内部において接続することができる。
上記構成により、外部端子の位置が異なる電池パックであっても、確実に装着部の接続端子に接続して充電できる。とくに、アダプタは、ケーシングの内部においてアダプタ側外部端子とアダプタ側接続端子とを接続するので、第一の電池パックと第二の電池パックの外部端子の位置に応じて、アダプタ側外部端子とアダプタ側接続端子を最適な位置に配置しながら、アダプタ側外部端子とアダプタ側接続端子とを確実に接続できる。
【０００９】
本発明の他の充電装置によれば、前記ケーシング２０は、前記アダプタ２が前記外ケース１０の装着部１１に装着される状態で、前記外ケース１０から突出する突出部２Ｔを有して、前記突出部２Ｔの底面に、前記ケーシング２０内の水を排出するための水抜き孔２０ｍを開口することができる。
上記構成により、アダプタの底面に開口した水抜き孔からケーシング内の水をスムーズに排出できる。とくに、このアダプタは、外ケースに装着した状態で、外ケースから突出する突出部に水抜き孔を設けているので、水抜き孔から排出される水が外ケースや装着部に流れて悪影響を及ぼすのを有効に防止できる。また、突出部の底面に水抜き孔を開口するので、水抜き孔を正面から見えない位置に配置して外観をよくできる。さらにまた、このアダプタは、突出部の底面に水抜き孔を開口するので、この水抜き孔をケーシングの端部に位置させることで、アダプタを手で振ることにより、その反動を利用して内部の水を水抜き孔から外部に効果的に排出できる。
【００１０】
本発明の他の充電装置によれば、前記外ケース１０は、上面に操作ボタン６０を備えると共に、該操作ボタン６０を前記装着部１１に隣接して配置し、前記ケーシング２０は、前記サブ装着部２１の両側に沿って側壁部２２を備えることができ、さらに、前記側壁部２２は、前記アダプタ２が前記外ケース１０の装着部１１に装着される状態で、前記装着部１１の両側に突出する形状として、前記操作ボタン６０と対向する位置に切欠部２２Ａを形成し、該切欠部２２Ａを、前記操作ボタン６０の上方を開放する形状とすることができる。
上記構成により、外ケースの上面であって、装着部の近傍に省スペースに操作ボタンを配置しながら、この操作ボタンを無理なく操作できる。
【００１１】
本発明の他の充電装置によれば、前記切欠部２２Ａを、前記サブ装着部２１の両側に設けられた前記側壁部２２の対向する部位に形成することができる。
上記構成により、両側の側壁部にそれぞれ形成された切欠部でもって、アダプタを両側から摘まむようにして把持でき、アダプタの脱離を容易にできる利点が得られる。さらに、装着部に対して左右のいずれに操作ボタンが位置する場合においても、両側に設けた切欠部により、この操作ボタンの上方を確実に開放できる。
【００１２】
本発明の他の充電装置によれば、前記外ケース１０が、装着される電池パック３を放電する放電回路５５を内蔵すると共に、前記操作ボタン６０を、装着される電池パック３のキャリブレーションを開始する押しボタン６０Ａとすることができる。
上記構成により、外ケースに設けた押しボタンを操作することで、装着される電池パックをキャリブレーションできる。
【００１３】
本発明の他の充電装置によれば、前記外ケース１０は、前記装着部１１に装着される前記アダプタ２を、アダプタ連結機構８Ｂを介して着脱自在に固定すると共に、前記アダプタ２は、前記サブ装着部２１に装着される第二の電池パック３Ｂを、第二の連結機構８Ｃを介して着脱自在に固定し、前記アダプタ連結機構８Ｂの着脱力を前記第二の連結機構８Ｃの着脱力よりも大きくして、前記アダプタ２を第二の電池パック３Ｂをよりも取り外し難くすることができる。
上記構成により、外ケースにアダプタを装着して第二の電池パックを充電した後、アダプタを外れないようにしながら、第二の電池パックのみを簡単に取り外しできる
【００１４】
本発明の他の充電装置によれば、前記外ケース１０が、前記装着部１１を複数備えることができる。
上記構成により、外ケースに、複数の電池パックを同時に装着して、効率よく充電できる。
【００１５】
本発明の他の充電装置によれば、前記外ケース１０が、上面の両側に装着部１１を備えて、互いに隣接する前記装着部１１の間に、前記操作ボタン６０を設けることができる。
上記構成により、外ケースの両側に設けた装着部の間に操作ボタンを設けることで、操作ボタンを外ケースの中央部分に配置して操作し易くできる。
【００１６】
本発明の充電器用アダプタによれば、第一の電池パック３Ａを装着して充電する充電器の、該第一の電池パック３Ａを装着する装着部１１に装着可能な充電器用アダプタであって、ケーシング２０と、前記ケーシング２０の一部であって、装着部１１と装着される際に接合される被装着部２９と、前記ケーシング２０の前記被装着部２９とは異なる部位に、第一の電池パック３Ａとは異なる形状の第二の電池パック３Ｂを着脱自在に装着するサブ装着部２１を有することを特徴としている。
上記構成により、アダプタを充電器の装着部にセットすることで、第二の電池パックを簡単かつ容易に接続して充電できる。また、携帯型の電池駆動機器を複数使用する場合においても、第二の電池パック専用の充電器に代えてアダプタを携行することで、簡単に持ち運びしながら、仕様の異なる電池パックを便利に充電できる。
【図面の簡単な説明】
【００１７】
【図１】本発明の一実施の形態にかかる充電装置に電池パックを装着した状態を示す斜視図である。
【図２】図１に示す充電装置と電池パックの平面図である。
【図３】図２に示す充電装置と電池パックのＩＩＩ−ＩＩＩ線断面図である。
【図４】図２に示す充電装置と電池パックのＩＶ−ＩＶ線断面図である。
【図５】図２に示す充電装置と電池パックのＶ−Ｖ線断面図である。
【図６】図２に示す充電装置と電池パックのＶＩ−ＶＩ線断面図である。
【図７】図１に示す充電装置に電池パックを装着する状態を示す一部拡大分解斜視図である。
【図８】図７に示す電池パックとアダプタを背面側から見た一部拡大底面斜視図である。
【図９】本発明の一実施の形態にかかる充電装置と電池パックのブロック図である。
【図１０】アダプタの対向壁の内部構造を示す水平断面図である。
【発明を実施するための形態】
【００１８】
以下、本発明の実施の形態を図面に基づいて説明する。ただし、以下に示す実施の形態は、本発明の技術思想を具体化するための充電装置及び充電器用のアダプタを例示するものであって、本発明は充電装置及び充電器用のアダプタを以下のものに特定しない。なお、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００１９】
（実施例１）
図１〜図１０に、本発明の実施の形態に係る充電装置を示す。これらの図において、図１は充電装置に電池パックを装着した状態を示す斜視図、図２は充電装置に電池パックを装着した状態を示す平面図、図３は図２の充電装置のＩＩＩ−ＩＩＩ線断面図、図４は図２の充電装置のＩＶ−ＩＶ線断面図、図５は図２の充電装置のＶ−Ｖ線断面図、図６は図２の充電装置のＶＩ−ＶＩ線断面図、図７は充電装置に電池パックを装着する状態を示す一部拡大分解斜視図、図８は図７に示すアダプタと電池パックを下側から見た一部拡大背面斜視図、図９は充電装置と電池パックのブロック図、図１０はアダプタの対向壁の水平断面図をそれぞれ示している。
【００２０】
本発明の充電装置は、タイプの異なる電池パックを装着して充電できる構造としている。タイプが異なる電池パックとは、充放電のために充電装置や電池駆動機器に接続される電気接続部である外部端子の位置や形状が互いに異なり、あるいは、充電装置や電池駆動機器の装着部に接合される被装着部の形状が互いに異なる電池パックであって、これらの違いにより機種や仕様の異なる充電装置や電池駆動機器に誤って装着されるのを防止しているものである。さらに、タイプが異なる電池パックは、以上のような機械的な構造の相違に加えて、容量や充電電流等の電気的な仕様が異なる電池パックとすることもできる。このような電池パックとして、たとえば、デジタルカメラ等の電池駆動機器に着脱自在に装着されて、これらの機器に電力を供給する電池パックが使用できる。ただ、本発明は、電池パックの用途をデジタルカメラに限定するものではなく、他の電池駆動機器にも適宜利用可能である。
【００２１】
（第一の電池パック及び第二の電池パック）
図１ないし図８に示す充電装置は、タイプの異なる電池パック３として、第一の電池パック３Ａと第二の電池パック３Ｂを装着する状態を示している。図に示す第一の電池パック３Ａと第二の電池パック３Ｂは、装着対象となる電池駆動機器（図示せず）に装着できる外形に成形された電池ケース３１、４１を備えており、この電池ケース３１、４１の内部に、複数の充電できる二次電池３０を内蔵している。図３と図４に示す電池パック３は、電池ケース３１、４１の内部に、３本の円筒形の二次電池３０を互いに平行な姿勢で並べて収納している。電池パック３に内蔵される二次電池３０は、リチウムイオン電池である。ただ、二次電池は、ニッケル水素電池やニッケルカドミウム電池、ポリマー電池等の充電できる他の全ての電池とすることもできる。電池パック３は、複数の二次電池３０を直列に接続して出力電圧を高くしている。電池パックは、複数の二次電池を並列に接続して充放電の電流を大きくすることもできる。なお、電池パックは、内蔵する二次電池の数や接続状態を特定しない。電池パックは、使用する電池駆動機器の種類や用途に応じて内蔵する二次電池の数と出力電圧を種々に設計できる。
【００２２】
さらに、第一の電池パック３Ａと第二の電池パック３Ｂは、充電装置や電池駆動機器に接続される電気接続部である外部端子３６、４６を備えており、この外部端子３６、４６を、電池ケース３１、４１の一方の端面３１Ｘ、４１Ｘに開口した端子窓３３、４３から表出させている。外部端子３６、４６は、複数の接点３６Ａ、４６Ａ（図９参照）を備えており、これらの接点３６Ａ、４６Ａをコネクタ３４、４４で定位置に固定している。コネクタ３４、４４は、複数列の縦スリット３４ａ、４４ａを平行に設けると共に、この縦スリット３４ａ、４４ａの内側に接点３６Ａ、４６Ａを固定して外部端子３６、４６としている。第一の電池パック３Ａと第二の電池パック３Ｂは、図８に示すように、端子窓３３、４３を電池ケース３１、４１の異なる位置に開口して、各々の外部端子３６、４６を異なる位置に配置しており、これにより、充電装置や電池駆動機器への誤装着を防止している。図８に示す第一の電池パック３Ａと第二の電池パック３Ｂは、コネクタ３４、４４の形状を等しくしており、その配置を変更することで電気接続部を差別化しているが、コネクタは異なる形状とすることもできる。さらに、図に示す第一の電池パック３Ａと第二の電池パック３Ｂは、詳細には後述するが、電池ケース３１、４１の外形の違いによって充電装置への誤装着を防止できるように、充電装置に接合される被装着部３９、４９を互いに異なる形状としている。
【００２３】
なお、本実施の形態において、タイプの異なる電池パック３である第一の電池パック３Ａと第二の電池パック３Ｂは、外部端子３６、４６であるコネクタ３４、４４の配置、及び被装着部３９、４９の形状で差別化するが、本発明は、第一の電池パックと第二の電池パックにおける、外部端子であるコネクタの配置や形状、さらには被装着部の形状や構造を特定するものではない。第一の電池パックと第二の電池パックは、装着対象となる電池駆動機器に応じて、外部端子であるコネクタの配置や形状、さらには被装着部の形状や構造等を種々に変更することができる。
以下、タイプの異なる電池パック３である第一の電池パック３Ａと第二の電池パック３Ｂを充電装置１００に装着して充電する構造について詳述する。
【００２４】
（充電装置１００）
図１ないし図７に示す充電装置１００は、充電対象となる第一の電池パック３Ａを着脱自在に装着して充電する充電器本体１と、この充電器本体１に着脱自在に装着されて、第一の電池パック３Ａとは異なる形状の第二の電池パック３Ｂを着脱自在に装着するアダプタ２とを備えている。この充電装置１００は、図１〜図４及び図７の左側に示すように、充電器本体１に第一の電池パック３Ａを装着して、充電器本体１から供給される電力で第一の電池パック３Ａを充電し、また、図１〜図４及び図７の右側に示すように、充電器本体１にアダプタ２を装着すると共に、このアダプタ２に第二の電池パック３Ｂを装着して、充電器本体１から供給される電力で第二の電池パック３Ｂを充電する。なお、図に示す充電装置１００は、充電器本体１の左側に第一の電池パック３Ａを装着して充電し、充電器本体１の右側に、アダプタ２を介して第二の電池パック３Ｂを装着して充電する状態を示しているが、充電装置１００は、充電器本体１の右側に第一の電池パック３Ａを装着して充電し、また、充電器本体１の左側に、アダプタ２を介して第二の電池パック３Ｂを装着して充電することもできる。
【００２５】
（充電器本体１）
図１ないし図７、及び図９に示す充電器本体１は、第一の電池パック３Ａを着脱自在に装着できる装着部１１を有する外ケース１０と、この外ケース１０に内蔵されて、装着部１１に装着される第一の電池パック３Ａを充電し、かつ、アダプタ２を介して装着部１１に装着される第二の電池パック３Ｂを充電する充電回路５とを備えている。
【００２６】
（外ケース１０）
外ケース１０は、全体の外形を直方体の箱形とする形状にプラスチックで成形されている。外ケース１０は、上ケース１０Ａと下ケース１０Ｂとからなり、第一の電池パック３Ａを着脱自在に装着する装着部１１を上ケース１０Ａの上面に設けている。図の外ケース１０は、平面視を横長の長方形状としており、長手方向の両端部の上面に装着部１１を設けている。なお、この例では、外ケース１０の上面の二箇所に装着部１１を設けているが、外ケース１０に設ける装着部１１は、一箇所とすることも、三箇所以上とすることも可能であることはいうまでもない。
【００２７】
（装着部１１）
装着部１１は、ここに装着される第一の電池パック３Ａを嵌合できる凹部形状、すなわち、第一の電池パック３Ａの被装着部３９の外形に沿う内形としている。図に示す第一の電池パック３Ａは、電池ケース３１の底面側を被装着部３９としている。したがって、装着部１１は、第一の電池パック３Ａの底面に沿う形状に成形している。図に示す装着部１１は、底面の両側に側壁１２を有する形状として、全体の形状を溝形としている。さらに、装着部１１は、装着される第一の電池パック３Ａの一方の端面３１Ｘと対向する端面壁１３を上面に突出して設けている。すなわち、装着部１１は、両側を側壁１２でカバーすると共に、一端を端面壁１３でカバーする形状とし、さらに残りの一端を開放する形状として、この一端を第一の電池パック３Ａの挿入側開放部１４としている。この装着部１１は、ここに装着される第一の電池パック３Ａの端部を挿入側開放部１４から外側に突出させる姿勢としながら、第一の電池パック３Ａを定位置にセットするようにしている。したがって、外ケース１０は、装着部１１の全長を第一の電池パック３Ａの全長よりも短くすると共に、装着部１１の横幅である一対の側壁１２の間隔を第一の電池パック３Ａの幅とほぼ等しく、あるいはやや大きくして、第一の電池パック３Ａを装着部１１の側壁１２に沿ってスライドできるようにしている。
【００２８】
さらに、図に示す装着部１１は、中央部に第一の電池パック３Ａの挿入方向に延びる連結凸部１１Ｂを設けて、この連結凸部１１Ｂの両側に、互いに平行な２列の溝部１１Ａを設けている。図８に示す第一の電池パック３Ａは、電池ケース３１の底面に形成される被装着部３９を、両側部に設けた２列の連結凸条３９Ａと、これらの連結凸条３９Ａの間に設けた連結凹部３９Ｂとで形成している。したがって、装着部１１は、２列の溝部１１Ａの内形を、対向する連結凸条３９Ａに沿う形状とすると共に、連結凸部１１Ｂの外形を、対向する連結凹部３９Ｂに案内できる形状として、第一の電池パック３Ａの被装着部３９を嵌合できる構造としている。図に示す第一の電池パック３Ａは、連結凸条３９Ａの横断面形状を、内蔵する円筒形の二次電池３０の外形に沿う半円形状に近似させているので、装着部１１の溝部１１Ａの横断面形状も、連結凸条３９Ａの半円形状に近似する形状としている。この装着部１１は、第一の電池パック３Ａに設けた連結凸条３９Ａを、溝部１１Ａに沿ってスライドさせて定位置に案内する。
【００２９】
（接続端子１５）
さらに、装着部１１は、ここに装着される第一の電池パック３Ａの外部端子３６に接続される接続端子１５を備えている。この接続端子１５は、第一の電池パック３Ａに設けた外部端子３６と対向する位置であって、端面壁１３から表出して設けている。ここで、第一の電池パック３Ａは、図８に示すように、端面壁１３と対向する端面３１Ｘの向かって右側に偏在して外部端子３６のコネクタ３４を設けている。したがって、外ケース１０の装着部１１は、図７に示すように、端面壁１３の向かって左側に偏在して接続端子１５を設けている。この接続端子１５は、装着部１１にセットされる第一の電池パック３Ａの外部端子３６に接続されて、第一の電池パック３Ａに充電電力を供給し、あるいは、第一の電池パック３Ａから入力される種々の信号を検出する。
【００３０】
接続端子１５は、複数の板状の金属板１５Ａを一列に横並び（図において左右方向）に配置している。接続端子１５は、板状の金属板１５Ａをほぼ同じ外形として互いに平行な姿勢で配列している。板状の金属板１５Ａは、装着部１１の端面壁１３に対して垂直な姿勢であって、第一の電池パック３Ａの挿入方向に沿う姿勢で配置している。図に示す充電器本体１は、複数の金属板１５Ａを端子ホルダ６３に固定しており、この端子ホルダ６３を介して複数の金属板１５Ａを所定の姿勢で配置している。このように、端子ホルダ６３に固定された金属板１５Ａを、第一の電池パック３Ａの装着方向に延長させた姿勢で配置することで、第一の電池パック３Ａの装着動作により、外部端子３６のコネクタ３４に設けた各縦スリット３４ａに対して接続端子１５の各金属板１５Ａをスムーズに挿入して接続できる。図に示す装着部１１は、複数の金属板１５Ａが固定された端子ホルダ６３を嵌入して表出させる表出窓１３Ａを端面壁１３に開口している。
【００３１】
さらに、図の装着部１１は、この表出窓１３Ａの下側に位置して、端面壁１３と底面の境界に沿って突出する段差凸部１７を設けている。この段差凸部１７は、第一の電池パック３Ａの電池ケース３１の端面３１Ｘと底面の境界に沿って設けた段差凹部３７に対向して設けられており、この段差凹部３７に段差凸部１７を案内して第一の電池パック３Ａを装着部１１の定位置にセットするようにしている。第一の電池パック３Ａは、図８に示すように、電池ケース３１の端面３１Ｘとこの段差凹部３７との境界に沿って開口窓３３を開口しており、この開口窓３３に外部端子３６のコネクタ３４を配置している。
【００３２】
金属板１５Ａである接続端子１５は、ニッケル板、銅板、銅合金板等の優れた導電性を有する金属で製作される。ただ、接続端子は、必ずしも板状には特定しない。接続端子は、装着部の内側に表出して、ここに装着される電池パックの外部端子に接続される種々の形状とすることができる。複数の金属板１５Ａからなる接続端子１５は、正負の充電端子１５ａを両側に配置し、これらの充電端子１５ａの間に非充電端子である通信端子１５ｂを配置している。充電端子１５ａは、第一の電池パック３Ａに内蔵する二次電池３０を充電するための正負の高電圧端子である。また通信端子１５ｂは、第一の電池パック３Ａとの間で電池情報を伝達する信号端子である。
【００３３】
（サブ回路基板６２）
複数の金属板１５Ａが固定された端子ホルダ６３は、外ケース１０内に配置されるサブ回路基板６２に固定されて定位置に配置される。図３ないし図６の外ケース１０は、装着部１１の底面の内面側に接近して、サブ回路基板６２を水平な姿勢で固定している。このサブ回路基板６２は、上ケース１０Ａの両側に設けられた装着部１１に配置される接続端子１５の端子ホルダ６３を固定しており、これらの端子ホルダ６３を装着部１１の定位置に配置している。
【００３４】
（充電回路５）
さらに、充電器本体１は、装着部１１に装着される第一の電池パック３Ａと、アダプタ２を介して装着部１１に装着される第二の電池パック３Ｂを充電する充電回路５を備えている。図９は、充電装置１００と電池パック３のブロック図を示している。充電器本体１に内蔵される充電回路５は、図９に示すように、商用電源（図示せず）から供給される交流電源を直流に変換する整流回路５１と、この整流回路５１から出力される脈流を平滑化する平滑回路５２である電解コンデンサ５２Ａと、平滑回路５２から出力される直流の電圧を、電池パック３の充電電圧に変換して出力する充電制御回路５３と、この充電制御回路５３を制御する制御回路５４とを備えている。
【００３５】
内蔵する二次電池３０をリチウムイオン電池やリチウムポリマー電池とする電池パック３を充電する充電回路５は、充電制御回路５３を、定電圧・定電流特性のＤＣ／ＤＣコンバータとする。二次電池をニッケル水素電池とする電池パックを充電する充電回路は、充電制御回路を、定電流特性のＤＣ／ＤＣコンバータとする。充電制御回路５３の出力は、装着部１１に配置される正負の充電端子１５ａに接続されており、装着部１１にセットされる第一の電池パック３Ａの正負の充放電端子３６ａ、またはアダプタ２を介して装着部１１に装着される第二の電池パック３Ｂの正負の充放電端子４６ａに接続されて、これらの電池パック３に充電電力を供給する。
【００３６】
制御回路５４は、通信端子１５ｂから入力される識別信号からセットされた電池パック３の種類を識別し、この電池パック３を充電する最適な電圧と電流値を判別して、充電端子１５ａから出力する充電電圧と充電電流を調整する。この充電器本体１は、電池パック３が装着されると、電池パック３の制御部３５から通信端子３６ｂ、４６ｂを介して出力される識別信号を、制御回路５４で検出し、検出された識別信号から、制御回路５４が電池パック３のタイプを判別して、この電池パック３を充電するのに最適な電圧と電流値となるように充電制御回路５３を制御する。制御回路５４は、充電可能な電池パック３の情報として、たとえば、識別信号や充電電圧、充電電流等をメモリ５９に記憶しており、入力される識別信号から、電池パック３に最適な充電電圧と充電電流をと判別して、充電制御回路５３を制御する。この充電器本体１は、電池パック３を充電する充電電圧や充電電流を、電池パック３から入力される識別信号から判別し、電池パック３に最適な電圧や電流値に切り換えて充電するので、仕様が異なる複数種の電池パック３を一つの充電器本体１で充電できる。ただ、充電器本体は、必ずしも出力電圧を切り換える必要はなく、一定の出力電圧で電池パックを充電することもできる。
【００３７】
さらに、制御回路５４は、通信端子１５ｂに異常信号が入力されると、電池パック３の異常と判定して、充電制御回路５３をオフに切り換えて充電を停止する。さらに、制御回路５４は、通信端子１５ｂに入力される温度信号から、電池パック３に内蔵される二次電池３０の温度を検出することもできる。この制御回路５４は、電池温度が最高温度よりも高くなると、充電電流を遮断して充電を中断し、あるいは充電電流を少なくして、電池温度を低下させる。電池温度が設定温度よりも低くなると、正常な充電電流で充電する。
【００３８】
なお、図９に示す電池パック３は、保護回路３２として、二次電池３０と直列に接続している充放電スイッチ３８と、充放電される二次電池３０の電池状態を検出して、充放電スイッチ３８をオンオフに制御する制御部３５とを備えている。図に示す電池パック３の制御部３５は、二次電池３０に流れる電流を検出し、また、電圧を検出して、電池の残容量を演算している。電池の電流を検出するために、電池と直列に接続している電流検出抵抗（図示せず）を備える。この電流検出抵抗の両端の電圧を検出して、電池に流れる充電電流と、放電電流を判別して検出する。さらに、制御部３５は、二次電池３０の過電流を検出し、又は電池温度が異常に高くなる二次電池３０の異常を検出すると、充放電スイッチ３８をオフに切り換えて電流を遮断する。さらに、制御部３５は内蔵する二次電池３０の異常を検出すると異常信号を通信端子３６ｂ、４６ｂから外部に出力する。さらに、制御部３５は、二次電池３０が満充電になると充放電スイッチ３８をオンからオフに切り換えて、電池の過充電を防止する。また、制御部３５は、二次電池３０が所定の残容量まで放電されると充放電スイッチ３８をオフに切り換えて、電池の過放電を防止する。さらに、制御部３５は、電池パック３が充電装置や電池駆動機器にセットされたことを通信端子３６ｂ、４６ｂを介して検出すると、充放電スイッチ３８をオンに切り換えて、二次電池３０の充放電を許容する。
【００３９】
（キャリブレーションボタン）
さらに、図９の充電器本体１は、装着される電池パック３をキャリブレーションする機能を備えている。図の充電器本体１は、装着された電池パック３を放電する放電回路５５を備えており、キャリブレーションの対象となる電池パック３を放電回路５５で完全放電した後、充電回路５で満充電して、電池パック３をキャリブレーションする。放電回路５５は、放電対象の電池パック３を放電する放電抵抗５６と、電池パック３の出力側をこの放電抵抗５６に接続する放電スイッチ５７とを備えている。図３の充電器本体１は、電池パック３のキャリブレーションを開始するスイッチとしてプランジャースイッチ６８をサブ回路基板６２の上面に固定している。さらに、このプランジャースイッチ６８の上方に位置して、外ケース１０の上面から表出して、電池パック３をキャリブレーションする際に操作する操作ボタン６０を設けている。図に操作ボタン６０は押しボタン６０Ａで、キャリブレーションを開始する際にユーザーがこの押しボタン６０Ａを押すことで、プランジャースイッチ６８を操作できるようにしている。図の充電器本体１は、装着部１１に装着される電池パック３を各々キャリブレーションできるように、各装着部１１に隣接して、押しボタン６０Ａを配置している。図の外ケース１０は、両側に設けた装着部１１の間に位置して操作ボタン６０を配置している。
【００４０】
（メイン回路基板６１）
なお、充電回路５を構成する整流回路５１、平滑回路５２を実現する電解コンデンサ５２Ａ、放電回路５５を実現する放電抵抗５６等の電子部品は、図示しないが、メイン回路基板に固定されて、外ケース内の定位置に配置されている。図３ないし図６に示す外ケース１０は、下ケース１０Ｂの底面の内面側に接近して、水平な姿勢でメイン回路基板６１を固定している。とくに、発熱部品である電子部品を、サブ回路基板６２とは異なるメイン回路基板６１に配置して外ケース１０の底部に配置する構造は、これらの発熱部品の発熱による他の電子部品への影響を低減できる特徴がある。外ケース１０に内蔵されるメイン回路基板６１とサブ回路基板６２は、図示しないが、ハーネス等を介して互いに接続される。
【００４１】
（表示部７０）
さらに、充電器本体１は、充電される電池パック３の充電状態を表示するための表示部７０を備えている。図９に示す表示部７０は、電池パック３の充電状態を光で外部に表示する光源７１と、この光源７１の点灯状態を制御する点灯回路７２とを備えている。光源７１には、ＬＥＤやＬＤ等の半導体発光素子、あるいは液晶や有機ＥＬ等が利用できる。この例では、光源７１としてＬＥＤ７１Ａを使用しており、このＬＥＤ７１Ａの点灯状態を点灯回路７２で制御して電池パック３の残容量等を外部に表示させるよう構成している。充電器本体１は、複数のＬＥＤ７１Ａを備えており、これらのＬＥＤ７１Ａを図４に示すようにサブ回路基板６２の上面に固定している。複数のＬＥＤ７１Ａを備える表示部７０は、複数の装着部１１に装着される電池パック３の充電状態を、装着部１１ごとに表示することができる。
【００４２】
さらに、表示部７０は、ＬＥＤ７１Ａの発光を効果的に外部に照射するために、各ＬＥＤ７１Ａに対向して、ＬＥＤ７１Ａの発光を外ケース１０外に導光するランプリーダー７３を配置している。図４に示す充電器本体１は、上ケース１０Ａの上面に複数の表示窓１０ａを開口しており、各表示窓１０ａに対向して、ランプリーダー７３を配置している。ランプリーダー７３は、透光性樹脂などで構成されており、ＬＥＤ７１Ａの発光を透過させて表示窓１０ａから外部に照射している。ただ、充電器本体は、必ずしもランプリーダーを配置する必要はなく、上ケースを透光性の樹脂で成形して、光源の光を上ケースに透過させて外部に表示することもできる。図１、図２、及び図４に示す充電器本体１は、上ケース１０Ａの上面であって、両側に設けた装着部１１の間に位置して表示部７０を設けている。このように、上ケース１０Ａの上面の中央部に表示部７０を設けることで、ユーザーに対する視認性を向上できる
【００４３】
以上の充電器本体１は、以下のようにして第一の電池パック３Ａを充電し、また第二の電池パック３Ｂを充電する。
［第一の電池パック３Ａを充電する場合］
（１）充電器本体１の装着部１１に第一の電池パック３Ａをセットする。
（２）制御回路５４は、第一の電池パック３Ａから通信端子１５ｂに入力される識別信号を検出して、セットされた第一の電池パック３Ａのタイプを識別する。
（３）さらに、制御回路５４は、充電対象となる第一の電池パック３Ａがセットされた側の装着部１１の充電端子１５ａと、充電制御回路５３の出力側との間に接続された充電スイッチ５８をオンに切り換えた後、セットされた第一の電池パック３Ａを充電するのに最適な電圧と電流値となるように充電制御回路５３を制御しながら充電する。
（４）その後、第一の電池パック３Ａが満充電されると、充電制御回路５３を制御して充電を停止した後、充電スイッチ５８をオフに切り換える。
【００４４】
［第二の電池パック３Ｂを充電する場合］
（１）充電器本体１の装着部１１に、アダプタ２を介して第二の電池パック３Ｂをセットする。
（２）制御回路５４は、第二の電池パック３Ｂから通信端子１５ｂに入力される識別信号を検出して、セットされた第二の電池パック３Ｂのタイプを識別する。
（３）さらに、制御回路５４は、充電対象となる第二の電池パック３Ｂがセットされた装着部１１の充電端子１５ａと、充電制御回路５３の出力側との間に接続された充電スイッチ５８をオンに切り換えた後、セットされた第二の電池パック３Ｂを充電するのに最適な電圧と電流値となるように充電制御回路５３を制御しながら充電する。
（４）その後、第二の電池パック３Ｂが満充電されると、充電制御回路５３を制御して充電を停止した後、充電スイッチ５８をオフに切り換える。
【００４５】
［電池パック３をキャリブレーションする場合］
（１）充電器本体１の装着部１１に第一の電池パック３Ａがセットされ、あるいは、アダプタ２を介して第二の電池パック３Ｂがセットされた状態でキャリブレーションを開始する押しボタン６０Ａを操作する。
（２）制御回路５４は、キャリブレーションの対象となる電池パック３がセットされた装着部１１の充電端子１５ａに接続された放電スイッチ５７をオンに切り換えて、この電池パック３の放電を開始する。
（３）電池パック３が放電されて、残容量が所定値以下になると、制御回路５４は、放電スイッチ５７をオフに切り換えて電池パック３の放電を停止する。
（４）さらに、電池パック３がセットされた装着部１１の充電端子１５ａに接続された充電スイッチ５８をオンに切り換えた後、セットされた電池パック３を充電するのに最適な電圧と電流値となるように充電制御回路５３を制御しながら充電する。
（５）その後、電池パック３が満充電されると、充電制御回路５３を制御して充電を停止した後、充電スイッチ５８をオフに切り換える。
【００４６】
なお、以上の動作状態において、充電器本体１は、充電中にある電池パック３の充電状態を表示部７０で外部に表示することができる。また、両方の装着部１１に同時に電池パック３がセットされると、充電器本体１は、いずれか一方の電池パック３を満充電又はキャリブレーションした後、他方の電池パック３を満充電又はキャリブレーションする。
【００４７】
（アダプタ２）
アダプタ２は、ケーシング２０と、このケーシング２０の一部であって、装着部１１に装着される際に接合される被装着部２２と、ケーシング２０の被装着部２２とは異なる部位に設けられて、第一の電池パック３Ａとは異なる形状の第二の電池パック３Ｂを着脱自在に装着するサブ装着部２１とを備えている。
【００４８】
（ケーシング２０）
ケーシング２０は、プラスチックで成形された上ケーシング２０Ａと下ケーシング２０Ｂとからなる。図のケーシング２０は、底面側を充電器本体１の装着部１１に接合させて、上面側に第二の電池パック３Ｂを装着する。したがって、ケーシング２０は、下ケーシング２０Ｂの底面に、充電器本体１の装着部１１に接合される被装着部２９を形成すると共に、上ケーシング２０Ａの上面に、第二の電池パック３Ｂを着脱自在にセットするサブ装着部２１を形成している。
【００４９】
（被装着部２９）
ケーシング２０の被装着部２９は、外ケース１０の装着部１１に嵌合して接合される。したがって、ケーシング２０の被装着部２９は、第一の電池パック３Ａの被装着部３９とほぼ同じ形状に成形されている。図に示す第一の電池パック３Ａの被装着部３９は、底面の両側部に設けた２列の連結凸条３９Ａと、これらの連結凸条３９Ａの間に設けた連結凹部３９Ｂとで構成されるので、ケーシング２０の被装着部２９も、底面の両側部に設けた２列の連結凸条２９Ａと、これらの連結凸条２９Ａの間に設けた連結凹部２９Ｂとで構成している。したがって、ケーシング２０の被装着部２９は、２列の連結凸条２９Ａの外形を、対向する溝部１１Ａに沿う形状とすると共に、連結凹部２９Ｂの内形を、対向する連結凸部１１Ｂを案内できる形状として、外ケース１０の装着部１１に嵌合できる構造としている。このアダプタ２も、底面の両側に設けた連結凸条２９Ａを、装着部１１の両側の溝部１１Ａに沿ってスライドさせて定位置に案内される。
【００５０】
（サブ装着部２１）
サブ装着部２１は、ここに装着される第二の電池パック３Ｂを嵌合できる凹部形状、すなわち、第二の電池パック３Ｂの被装着部４９の外形に沿う内形としている。図に示す第二の電池パック３Ｂは、底面側を被装着部４９としている。したがって、サブ装着部２１は、第二の電池パック３Ｂの底面に沿う形状に成形している。ここで、図８に示す第二の電池パック３Ｂは、被装着部４９の外形を、第一の電池パック３Ａの被装着部３９の外形に類似する形状としている。したがって、ケーシング２０に形成されるサブ装着部２１は、外ケース１０に形成される装着部１１に類似する形状としている。ただ、第二の電池パックの被装着部は、第一の電池パックの被装着部と全く異なる形状とすることもできる。
【００５１】
図に示すサブ装着部２１は、底面の両側に側壁部２２を有する形状として、全体の形状を溝形としている。さらに、サブ装着部２１は、装着される第二の電池パック３Ｂの一方の端面と対向する対向壁２３を上面に突出して設けている。すなわち、サブ装着部２１は、両側を側壁部２２でカバーすると共に、一端を対向壁２３でカバーする形状とし、さらに残りの一端を開放する形状として、この一端を第二の電池パック３Ｂの挿入側開放部２４としている。このサブ装着部２１は、ここに装着される第二の電池パック３Ｂの端部を挿入側開放部２４から外側に突出させる姿勢としながら、第二の電池パック３Ｂを定位置にセットするようにしている。したがって、サブ装着部２１の全長を第二の電池パック３Ｂの全長よりも短くすると共に、サブ装着部２１の横幅である一対の側壁部２２の間隔を第二の電池パック３Ｂの幅とほぼ等しく、あるいはやや大きくして、第二の電池パック３Ｂをサブ装着部２１の側壁部２２に沿ってスライドできるようにしている。
【００５２】
さらに、図に示すサブ装着部２１は、中央部に第二の電池パック３Ｂの挿入方向に延びる連結凸部２１Ｂを設けて、この連結凸部２１Ｂの両側に、互いに平行な２列の溝部２１Ａを設けている。図８に示す第二の電池パック３Ｂは、電池ケース４１の底面に形成される被装着部４９を、両側部に設けた２列の連結凸条４９Ａと、これらの連結凸条４９Ａの間に設けた連結凹部４９Ｂとで形成している。したがって、サブ装着部２１は、２列の溝部２１Ａの内形を、対向する連結凸条４９Ａに沿う形状とすると共に、連結凸部２１Ｂの外形を、対向する連結凹部４９Ｂに案内できる形状として、第二の電池パック３Ｂの被装着部４９を嵌合できる構造としている。図に示す第二の電池パック３Ｂは、連結凸条４９Ａの横断面形状を、内蔵する円筒形の二次電池３０の外形に沿う半円形状に近似させているので、サブ装着部２１の溝部２１Ａの横断面形状も連結凸条４９Ａの半円形状に近似させている。このサブ装着部２１は、第二の電池パック３Ｂに設けた連結凸条４９Ａを、溝部１１Ａに沿ってスライドさせて定位置に案内する。
【００５３】
（アダプタ側接続端子２５）
さらに、サブ装着部２１は、ここに装着される第二の電池パック３Ｂの外部端子４６に接続されるアダプタ側接続端子２５を備えている。このアダプタ側接続端子２５は、第二の電池パック３Ｂに設けた外部端子４６と対向する位置であって、対向壁２３から表出して設けている。ここで、第二の電池パック３Ｂは、図８に示すように、対向壁２３と対向する端面４１Ｘの向かって左側に偏在して外部端子４６のコネクタ４４を設けている。したがって、ケーシング２０のサブ装着部２１は、図７に示すように、対向壁２３の向かって右側に偏在してアダプタ側接続端子２５を設けている。このアダプタ側接続端子２５は、サブ装着部２１にセットされる第二の電池パック３Ｂの外部端子４６に接続されて、第二の電池パック３Ｂに充電電力を供給し、あるいは、第二の電池パック３Ｂから入力される種々の信号を検出する。ここで、図８に示すように、第二の電池パック３Ｂの外部端子４６と第一の電池パック３Ａの外部端子３６は、同じ形状としている。したがって、サブ装着部２１に設けられるアダプタ側接続端子２５は、外ケース１０の装着部１１に設けられる前述の接続端子１５と同じ材質、形状、及び構造とすることができる。ただ、第二の電池パックの外部端子を第一の電池パックの外部端子と異なる形状とする場合には、サブ装着部のアダプタ側接続端子の形状は、第二の電池パックの外部端子を接続できるように適宜変更させる。
【００５４】
アダプタ側接続端子２５も、前述の接続端子１５と同様に、複数の板状の金属板２５Ａを一列に横並び（図において左右方向）に配置している。アダプタ側接続端子２５は、板状の金属板２５Ａをほぼ同じ外形として互いに平行な姿勢で配列している。板状の金属板２５Ａは、サブ装着部２１の対向壁２３に対して垂直な姿勢であって、第二の電池パック３Ｂの挿入方向に沿う姿勢で配置している。図に示すアダプタ２は、複数の金属板２５Ａを端子ホルダ６５に固定しており、この端子ホルダ６５を介して複数の金属板２５Ａを所定の姿勢で配置している。このように、端子ホルダ６５に固定された金属板２５Ａを、第二の電池パック３Ｂの装着方向に延長させた姿勢で配置することで、第二の電池パック３Ｂの装着動作により、外部端子４６のコネクタ４４に設けた各縦スリット４４ａに対してアダプタ側接続端子２５の各金属板２５Ａをスムーズに挿入して接続できる。図に示すサブ装着部２１は、複数の金属板２５Ａが固定された端子ホルダ６５を嵌入して表出させる表出窓２３Ａを対向壁２３に開口している。
【００５５】
さらに、図のサブ装着部２１は、この表出窓２３Ａの下側に位置して、対向壁２３と底面の境界に沿って突出する段差凸部２８を設けている。この段差凸部２８は、第二の電池パック３Ｂの電池ケース４１の端面４１Ｘと底面の境界に沿って設けた段差凹部４８に対向して設けられており、この段差凹部４８に段差凸部２８を案内して第二の電池パック３Ｂをサブ装着部２１の定位置にセットするようにしている。第二の電池パック３Ｂは、図８に示すように、電池ケース４１の端面４１Ｘとこの段差凹部４８との境界に沿って開口窓４３を開口しており、この開口窓４３に外部端子４６のコネクタ４４を配置している。
【００５６】
複数の金属板２５Ａからなるアダプタ側接続端子２５も、正負の充電端子２５ａを両側に配置し、これらの充電端子２５ａの間に非充電端子である通信端子２５ｂを配置している。充電端子２５ａは、第二の電池パック３Ｂに内蔵する二次電池３０を充電するための正負の高電圧端子である。また通信端子２５ｂは、第二の電池パック３Ｂとの間で電池情報を伝達する信号端子である。
【００５７】
（アダプタ側外部端子２６）
さらに、アダプタ２は、外ケース１０の装着部１１に装着される状態で、装着部１１に設けられた接続端子１５に接続されるアダプタ側外部端子２６を備えている。図に示すアダプタ２は、ケーシング２０の端面２０Ｘであって、対向壁２３の外側に表出して、アダプタ側外部端子２６を備えている。アダプタ側外部端子２６は、外ケース１０の装着部１１にケーシング２０を装着する状態で、装着部１１に設けた接続端子１５に接続されるように、装着部１１の端面壁１３と対向する端面２０Ｘに配置されている。外ケース１０の装着部１１は、図７に示すように、端面壁１３の向かって左側に偏在して接続端子１５を設けている。したがって、ケーシング２０は、図８に示すように、端面２０Ｘの向かって右側に偏在してアダプタ側外部端子２６のコネクタ６４を設けている。このアダプタ側外部端子２６は、装着部１１にセットされる状態で装着部１１の接続端子１５に接続される。
【００５８】
ここで、図８に示すように、第一の電池パック３Ａの外部端子３６とケーシング２０のアダプタ側外部端子２６は、同じ形状としている。すなわち、アダプタ側外部端子２６は、外部端子３６と同様に、複数の接点２６Ａ（図９参照）をコネクタ６４で定位置に固定している。コネクタ６４は、複数列の縦スリット６４ａを平行に設けると共に、この縦スリット６４ａの内側に接点２６Ａを固定してアダプタ側外部端子２６としている。複数の接点２６Ａを備えるアダプタ側外部端子２６は、コネクタ６４の縦スリット６４ａに挿入される接続端子１５の金属板１５Ａを両側から押圧する状態で挟着して互いに電気接続される。接続端子１５に接続されるアダプタ側外部端子２６は、図９に示すように、正負の充電端子２６ａを両側に配置し、これらの充電端子２６ａの間に非充電端子である通信端子２６ｂを配置している。充電端子２６ａは、第二の電池パック３Ｂに内蔵する二次電池３０を充電するための正負の高電圧端子である。また通信端子２６ｂは、第二の電池パック３Ｂとの間で電池情報を伝達する信号端子である。
【００５９】
ケーシング２０は、コネクタ６４を嵌入して表出させる対向窓２３Ｂを対向壁２３に開口している。さらに、図８に示すケーシング２０は、この対向窓２３Ｂの下側であって、端面２０Ｘと底面の境界に沿って段差凹部２７を設けている。ケーシング２０は、この段差凹部２７に、外ケース１０の装着部１１に設けた段差凸部１７を案内して、装着部１１の定位置にセットされるようにしている。
【００６０】
サブ装着部２１に設けられたアダプタ側接続端子２５とケーシング２０の端面２０Ｘから表出するアダプタ側外部端子２６は、ケーシング２０の内部において互いに接続されている。ケーシング２０は、図５、図６、及び図１０に示すように、対向壁２３の内部にプリント基板６６を配置しており、このプリント基板６６の上下であって、互いに反対側の面に、アダプタ側接続端子２５の端子ホルダ６５とアダプタ側外部端子２６のコネクタ６４とを固定している。プリント基板６６に固定される端子ホルダ６５とコネクタ６４は、図９に示すように、プリント基板６６に設けた接続ライン６７を介して、アダプタ側接続端子２５とアダプタ側外部端子２６の正負の充電端子２５ａ、２６ａ同士が互いに接続され、また、アダプタ側接続端子２５とアダプタ側外部端子２６の通信端子２５ｂ、２６ｂ同士が互いに接続される。
【００６１】
以上のアダプタ２は、第二の電池パック３Ｂを充電する際に、充電器本体１の装着部１１に装着される。アダプタ２は、充電器本体１の装着部１１に被装着部２９が接合される状態で、ケーシング２０から表出するアダプタ側外部端子２６が、装着部１１に設けた接続端子１５に接続される。さらに、アダプタ２は、アダプタ側装着部２１に第二の電池パック３Ｂが装着されて、アダプタ側装着部２１に設けたアダプタ側接続端子２５に第二の電池パック３Ｂの外部端子４６が接続される。この状態で、第二の電池パック３Ｂは、アダプタ２を介して充電器本体１の接続端子１５に接続されて、充電回路５から電力が供給されて充電される。
【００６２】
図５と図６に示すアダプタ２は、ケーシング２０の上面に設けた対向壁２３を、充電器本体１の装着部１１に設けた端面壁１３に対向する姿勢で装着するようにしている。図に示すアダプタ２は、充電器本体１の装着部１１に装着される状態で、対向壁２３の上部が、端面壁１３の上面よりも上方に突出する形状としている。この形状のアダプタ２は、端面壁１３から突出する対向壁２３の上部を、第二の電池パック３Ｂの取り外し方向に押圧して簡単に取り外しできる。
【００６３】
（切欠部２２Ａ）
さらに、アダプタ２は、図２ないし図４に示すように、充電器本体１の装着部１１に装着される状態で、ケーシング２０のサブ装着部２１の両側に沿って設けた側壁部２２を、装着部１１の両側に突出する形状としている。さらに、ケーシング２０の側壁部２２は、アダプタ２を装着部１１に装着する状態で、充電器本体１の上面に設けた操作ボタン６０と対向する位置に切欠部２２Ａを設けている。この切欠部２２Ａは、操作ボタン６０の上方を開放する形状に側壁部２２を切り欠いており、この切欠部２２Ａを通してユーザーが操作ボタン６０を無理なく操作できるようにしている。図２に示す切欠部２２Ａは、操作ボタン６０の外周に沿う円弧状に側壁部２２を切り欠いている。この形状の切欠部２２Ａは、最も効果的に操作ボタン６０の上方を開放して、操作ボタン６０を確実に操作できる。さらに、図２に示すアダプタ２は、サブ装着部２１の両側に設けられた側壁部２２の対向する部位に切欠部２２Ａを設けている。このアダプタ２は、外ケース１０の上面の両側に設けたいずれの装着部２に装着する状態においても、左右いずれかの切欠部２２Ａによって操作ボタン６０の上方を開放できる。さらに、このアダプタ２は、両側に形成された切欠部２２Ａを摘み部に兼用することで、この切欠部２２Ａを掴んでアダプタ２を楽に取り外しできる。
【００６４】
(水抜き孔２０ｍ)
以上のアダプタ２は、充電器本体１の装着部１１に装着される状態で、外ケース１０から突出する突出部２Ｔを有している。図５と図６に示すアダプタ２は、充電器本体１の装着部１１に装着される状態で、対向壁２３と反対側の端部である第二の電池パック３Ｂの挿入側開放部１４側の端部が、外ケース１０から外側に突出する形状としている。さらに、アダプタ２は、図５と図８に示すように、突出部２Ｔの底面を貫通して、ケーシング２０内の水を外部に排出するための水抜き孔２０ｍを開口している。図に示すアダプタ２は、下ケーシング２０Ｂの端部の中央部に水抜き孔２０ｍを開口している。この構造は、外部からケーシング２０内に侵入する水や、温度差によってケーシング２０内で発生する結露水を、この水抜き孔２０ｍから外部に排出することができる。とくに、このアダプタ２は、装着部１１に装着した状態で、外ケース１０から突出する突出部２Ｔに水抜き孔２０ｍを開口しているので、水抜き孔２０ｍから排出される水が装着部１１の内側に流れて悪影響を及ぼすのを有効に防止できる。さらに、図に示すアダプタ２は、突出部２Ｔの底面であって、突出部２Ｔ側の壁際に位置して水抜き孔２０ｍを開口しているので、アダプタ２を手で振ることにより、その反動を利用してケーシング２０内の水を、水抜き孔２０ｍから外部に強制的に排出できる特徴もある。
【００６５】
ここで、図に示すアダプタ２は、詳細には後述するが、サブ装着部２１の連結凸部２１Ｂに設けたロック爪９８の周囲の隙間７４から内部に水が侵入することがある。この隙間７４から浸入した水は、ケーシング２０内を流下して水抜き孔２０ｍから外部に排出される。図３、図５、及び図６に示すケーシング２０は、ロック爪９８の周囲の隙間７４から侵入する水をスムーズに水抜き孔２０ｍに誘導できるように、下ケーシング２０Ｂの内面にガイドリブ７６を成形している。この構造により、ロック爪９８の周囲の隙間７４から侵入する水をスムーズに水抜き孔２０ｍに流下させて、外部に排出できる。
【００６６】
これに対して、外ケース１０の装着部１１の連結凸部１１Ｂに設けたロック爪８８の周囲の隙間７４に対しては、図５と図６に示すように、この隙間７４の内面側に防水シート７５を固定して閉塞している。この構造は、防水シート７５により、この隙間７４から外ケース１０の内部に水が侵入するのを確実に阻止できる。ここで、アダプタ２についても、サブ装着部２１に設けたロック爪９８の周囲の隙間７４の内面側を防水シートで閉塞して、この隙間７４から内部に水が浸入するのを防止することができる。ただ、アダプタ２は、図に示すように、ケーシング２０の内部に水に弱い電子部品等を内蔵していないので、内部に多少の水が浸入しても支障がない。このため、防水シートを省略して、水抜き孔から排水する構造とすることで、製造コストを低減できる。
【００６７】
（装着ガイド８０、９０）
さらに、図４、図６、図７、及び図８に示す充電装置は、外ケース１０の装着部１１に誤って異なるタイプの電池パック３が装着されるのを防止すると共に、装着対象となる第一の電池パック３Ａまたはアダプタ２を装着部１１の底面に沿って正しい姿勢でスライドさせるために、第一の電池パック３Ａ及びアダプタ２の被装着部３９、２９と、装着部１１との対向面に装着ガイド８０を設けている。図に示す装着ガイド８０は、第一の電池パック３Ａ及びアダプタ２の挿入方向に設けたガイド溝８１と、このガイド溝８１に案内されるガイド凸部８２とで構成している。図に示す装着部１１は、連結凸部１１Ｂの上面の両側にガイド溝８１を設けており、第一の電池パック３Ａ及びアダプタ２の底面には、ガイド溝８１に案内されるガイド凸部８２を設けている。
【００６８】
図７に示す連結凸部１１Ｂは、図において左側の端面壁側に、浅くて短い第一のガイド溝８１Ａを設けると共に、右側には深くて長い第二のガイド溝８１Ｂを設けている。また、第一の電池パック３Ａ及びアダプタ２は、図８に示すように、第一のガイド溝８１Ａと対向する位置であって端面３１Ｘ、２０Ｘ側に、高さの低い第一のガイド凸部８２Ａを設けており、第二のガイド溝８１Ｂと対向する位置には、高さの高い第二のガイド凸部８２Ｂを複数設けている。以上の装着ガイド８０は、第一のガイド凸部８２Ａを第一のガイド溝８１Ａに案内し、複数の第二のガイド凸部８２Ｂを第二のガイド溝８１Ｂに案内する状態で、第一の電池パック３Ａ又はアダプタ２を装着部１１に配置し、ガイド凸部８２をガイド溝８１に沿ってスライドさせて定位置に装着させる。この装着ガイド８０は、ガイド凸部８２がガイド溝８１に沿って移動する状態で、第一の電池パック３Ａ又はアダプタ２のスライド範囲を許容し、ガイド凸部８２がガイド溝８１の端面に当接する状態で第一の電池パック３Ａ又はアダプタ２のスライド範囲を特定する。
【００６９】
なお、上述の例では、装着部１１側にガイド溝８１を設けて、第一の電池パック３Ａ及びアダプタ２側にガイド凸部８２を設けた例を説明したが、この構成に限られるものでなく、例えば第一の電池パック及びアダプタ側にガイド溝を設けて、装着部側にガイド凸部を設けてもよい。
【００７０】
また、図４、図６、図７、及び図８に示す充電装置は、アダプタ２のサブ装着部２１に誤って異なるタイプの電池パック３が装着されるのを防止すると共に、装着対象となる第二の電池パック３Ｂをサブ装着部２１の底面に沿って正しい姿勢でスライドさせるために、第二の電池パック３Ｂの被装着部４９とサブ装着部２１との対向面に装着ガイド９０を設けている。図に示す装着ガイド９０は、第二の電池パック３Ｂの挿入方向に設けたガイド溝９１と、このガイド溝９１に案内されるガイド凸部９２とで構成している。図に示すサブ装着部２１は、連結凸部２１Ｂの上面の両側にガイド溝９１を設けており、第二の電池パック３Ｂの底面には、ガイド溝９１に案内されるガイド凸部９２を設けている。
【００７１】
図７に示す連結凸部２１Ｂは、中央部において、左右の対向する位置に、浅くて短いガイド溝９１を設けている。また、第二の電池パック３Ｂは、図８に示すように、ガイド溝９１と対向する位置に、高さの低いガイド凸部９２を設けている。以上の装着ガイド９０は、ガイド凸部９２をガイド溝９１に案内する状態で、第二の電池パック３Ｂをサブ装着部２１に配置し、ガイド凸部９２をガイド溝９１に沿ってスライドさせて定位置に装着させる。この装着ガイド９０は、ガイド凸部９２がガイド溝９１に沿って移動する状態で、第二の電池パック３Ｂのスライド範囲を許容し、ガイド凸部９２がガイド溝９１の端面に当接する状態で第二の電池パック３Ｂのスライド範囲を特定する。
【００７２】
なお、上述の例では、サブ装着部２１側にガイド溝９１を設けて、第二の電池パック３Ｂ側にガイド凸部９２を設けた例を説明したが、この構成に限られるものでなく、例えば第二の電池パック側にガイド溝を設けて、サブ装着部側にガイド凸部を設けてもよい。
【００７３】
以上のように、第一の電池パック３Ａ及びアダプタ２の被装着部３９、２９と、第二の電池パック３Ｂの被装着部４９とを異なる形状とする装着ガイド８０、９０を介して、装着対象となる装着部１１及びサブ装着部２１を区別する構造は、装着部１１やサブ装着部２１に誤って異なるタイプの電池パック３が装着されるのを確実に阻止できる。ただ、装着ガイドは、必ずしも、以上の構造には特定せず、異なるタイプの電池パックを、確実に装着部とサブ装着部とに区別しながら案内できる他のすべての構造とすることができる。
【００７４】
（連結機構８）
さらに、図３、及び図４ないし図８に示す充電装置は、第一の電池パック３Ａやアダプタ２を装着部１１に機械的に連結し、また、第二の電池パック３Ｂをサブ装着部２１に機械的に連結するための連結機構８を備えている。連結機構８は、装着部１１やサブ装着部２１に装着される電池パック３やアダプタ２が、装着部１１又はサブ装着部２１の底面から浮き上がって外れるのを防止する嵌着機構８３、９３と、この嵌着機構８３、９３によって定位置に装着された電池パック３やアダプタ２を定位置に保持する係止機構８７、９７とを備えている。なお、以下に示す連結機構８は、第一の電池パック３Ａを装着部１１に連結する連結機構８を第一の連結機構８Ａとし、アダプタ２を装着部１１に連結する連結機構８をアダプタ連結機構８Ｂとし、また、第二の電池パック３Ｂをサブ装着部２１に連結する連結機構８を第二の連結機構８Ｃとしている。
【００７５】
嵌着機構８３、９３は、電池パック３又はアダプタ２の底面である被装着部３９、４９、２９の連結凹部３９Ｂ、４９Ｂ、２９Ｂに突出して設けられた一対の係止リブ８４、９４と、この係止リブ８４、９４に対向して、装着部１１又はサブ装着部２１の連結凸部１１Ｂ、２１Ｂに設けられた一対の挿入リブ８６、９６とで構成される。
【００７６】
係止リブ８６、９６は、図６と図８に示すように、縦断面形状をＬ字状として水平方向に延びる水平部８６Ａ、９６Ａを有する形状に成形されている。係止リブ８６、９６は、この水平部８６Ａ、９６Ａを電池パック３及びアダプタ２の挿入方向に延長すると共に、図３に示すように、両側の連結凸条３９Ａ、４９Ａ、２９Ａから中心方向に向かって突出する形状としている。係止リブ８４、９４は、水平部８４Ａ、９４Ａの内側に、電池パック３及びアダプタ２の挿入方向に延びる嵌着溝８５、９５を形成しており、この嵌着溝８５、９５に、挿入リブ８６、９６を挿入して嵌着できるようにしている。
【００７７】
挿入リブ８６、９６は、装着部１１又はサブ装着部２１の連結凸部１１Ｂ、２１Ｂの端部において、上面の両側に突出する形状であって、電池パック３及びアダプタ２の引き抜き方向に延びるひさし形状に成形されている。図に示す連結凸部１１Ｂ、２１Ｂは、両側に突出する一対の挿入リブ８６、９６を成形しており、この一対の挿入リブ８６、９６を、一対の嵌着溝８５、９５に案内して嵌着構造で連結するようにしている。
【００７８】
第一の電池パック３Ａとアダプタ２は、共に外ケース１０の装着部１１に装着されるので、第一の電池パック３Ａとアダプタ２の係止リブ８４は、図８に示すように、被装着部３９、２９の連結凹部３９Ｂ、２９Ｂの同じ位置であって、ほぼ等しい形状に成形される。これにより、第一の電池パック３Ａとアダプタ２は、外ケース１０の装着部１１に着脱自在に連結される。
【００７９】
以上の嵌着機構８３、９３は、第一の電池パック３Ａやアダプタ２が外ケース１０の装着部１１に装着される状態で挿入リブ８６が嵌着溝８５に嵌入され、あるいは第二の電池パック３Ｂがケーシング２０のサブ装着部２１に装着される状態で挿入リブ９６が嵌着溝９５に嵌入されて嵌着される。
【００８０】
係止機構８７、９７は、嵌着機構８３、９３によって装着部１１又はサブ装着部２１の定位置に連結された電池パック３又はアダプタ２を、係止構造によって定位置に保持する。図５、図７、及び図８に示す係止機構８７、９７は、連結凸部１１Ｂ、２１Ｂの挿入側開放部１４、２４側の端部に一体成形して設けたロック爪８８、９８と、このロック爪８８、９８に対向して、電池パック３又はアダプタ２の連結凹部３９Ｂ、４９Ｂ、２９Ｂに設けた係止部８９、９９とで構成されている。
【００８１】
ロック爪８８、９８は、先端部を上下方向に弾性変形させる弾性アーム部８８Ａ、９８Ａを備えており。この弾性アーム部８８Ａ、９８Ａの後端を連結凸部１１Ｂ、２１Ｂに一体的に連結すると共に、この弾性アーム部８８Ａ、９８Ａの先端部には、上方に向かって突出するフック部８８Ｂ、９８Ｂを設けている。図に示すロック爪８８、９８は、連結凸部１１Ｂ、２１Ｂの上面に一体成形されており、後端を除く外周を周囲から分離する形状に成形して、弾性アーム部８８Ａ、９８Ａを弾性変形できるようにしている。図３に示すロック爪８８、９８は、後端を除く周囲に隙間７４を設けており、この隙間７４によって連結凸部１１Ｂ、２１Ｂの上面から切り離されて、弾性アーム部８８Ａ、９８Ａを弾性変形できるようにしている。
【００８２】
係止部８９、９９は、連結凹部３９Ｂ、４９Ｂ、２９Ｂの中央部において底面から突出して設けた凸部で、電池パック３及びアダプタ２を定位置に装着した状態で、ロック爪８８、９８のフック部８８Ｂ、９８Ｂを係止できる位置に成形されている。さらに、凸部である係止部８９、９９は、弾性アーム部８８Ａ、９８Ａを弾性変形させて、フック部８８Ｂ、９８Ｂを節度のある状態で着脱できるようにしている。この係止機構８７、９７は、ロック爪８８、９８と係止部８９、９９の節度の大小によって、装着部１１及びサブ装着部２１に対する着脱力が決定される。
【００８３】
係止機構８７、９７は、アダプタ連結機構８Ｂの着脱力を、第二の連結機構８Ｃの着脱力よりも大きくして、アダプタ２を第二の電池パック３Ｂよりも取り外し難くしている。このように、アダプタ２と第二の電池パック３Ｂの着脱力に差を設ける構造は、アダプタ２と第二の電池パック３Ｂの着脱方向を同方向としながら、第二の電池パック３Ｂだけを簡単に取り外しして、アダプタ２が一緒に取り外されるのを有効に防止できる。
【００８４】
連結機構８は、たとえば、アダプタ２の底面に設ける係止部８９の高さを、第二の電池パック３Ｂの底面に設ける係止部９９の高さよりも高くすることにより、アダプタ連結機構８Ｂの着脱力を第二の連結機構８Ｃの着脱力よりも大きくすることができる。また、連結機構８は、サブ装着部２１の連結凸部２１Ｂに設けるロック爪９８のフック部９８Ｂの突出量を、装着部１１の連結凸部１１Ｂに設けるロック爪８８のフック部８８Ｂの突出量よりも小さくすることで、アダプタ連結機構８Ｂの着脱力を第二の連結機構８Ｃの着脱力よりも大きくすることができる。さらに、連結機構８は、サブ装着部２１の連結凸部２１Ｂに設けるロック爪９８の弾性アーム部９８Ａの弾性率を、装着部１１の連結凸部１１Ｂに設けるロック爪８８の弾性アーム部８８Ａの弾性率よりも小さくすることで、アダプタ連結機構８Ｂの着脱力を第二の連結機構８Ｃの着脱力よりも大きくすることができる。ロック爪８８、９８は、たとえば、弾性アーム部８８Ａ、９８Ａの長さや厚さ、あるいは、幅を変更することで弾性率を調整できる。
【産業上の利用可能性】
【００８５】
本発明に係る充電装置は、仕様の異なる複数の電池駆動機器に装着されるタイプの異なる電池パックの充電装置として好適に使用できる。
【符号の説明】
【００８６】
１００…充電装置
１…充電器本体
２…アダプタ                  ２Ｔ…突出部
３…電池パック                ３Ａ…第一の電池パック
３Ｂ…第二の電池パック
５…充電回路
８…連結機構                  ８Ａ…第一の連結機構
８Ｂ…アダプタ連結機構
８Ｃ…第二の連結機構
１０…外ケース                １０Ａ…上ケース
１０ａ…表示窓
１０Ｂ…下ケース
１１…装着部                  １１Ａ…溝部
１１Ｂ…連結凸部
１２…側壁
１３…端面壁                  １３Ａ…表出窓
１４…挿入側開放部
１５…接続端子                １５Ａ…金属板
１５ａ…充電端子
１５ｂ…通信端子
１７…段差凸部
２０…ケーシング              ２０Ａ…上ケーシング
２０Ｂ…下ケーシング
２０Ｘ…端面
２０ｍ…水抜き孔
２１…サブ装着部              ２１Ａ…溝部
２１Ｂ…連結凸部
２２…側壁部                  ２２Ａ…切欠部
２３…対向壁                  ２３Ａ…開口窓
２３Ｂ…対向窓
２４…挿入側開放部
２５…アダプタ側接続端子      ２５Ａ…金属板
２５ａ…充電端子
２５ｂ…通信端子
２６…アダプタ側外部端子      ２６Ａ…弾性接点
２６ａ…充電端子
２６ｂ…通信端子
２７…段差凹部
２８…段差凸部
２９…被装着部                ２９Ａ…連結凸条
２９Ｂ…連結凹部
３０…二次電池
３１…電池ケース              ３１Ｘ…端面
３２…保護回路
３３…端子窓
３４…コネクタ                ３４ａ…縦スリット
３５…制御部
３６…外部端子                ３６Ａ…接点
３６ａ…充放電端子
３６ｂ…通信端子
３７…段差凹部
３８…充放電スイッチ
３９…被装着部                ３９Ａ…連結凸条
３９Ｂ…連結凹部
４１…電池ケース              ４１Ｘ…端面
４３…端子窓
４４…コネクタ                ４４ａ…縦スリット
４６…外部端子                ４６Ａ…接点
４６ａ…充放電端子
４６ｂ…通信端子
４８…段差凹部
４９…被装着部                ４９Ａ…連結凸条
４９Ｂ…連結凹部
５１…整流回路
５２…平滑回路                ５２Ａ…電解コンデンサ
５３…充電制御回路
５４…制御回路
５５…放電回路
５６…放電抵抗
５７…放電スイッチ
５８…充電スイッチ
５９…メモリ
６０…操作ボタン              ６０Ａ…押しボタン
６１…メイン回路基板
６２…サブ回路基板
６３…端子ホルダ
６４…コネクタ                ６４ａ…縦スリット
６５…端子ホルダ
６６…プリント基板
６７…接続ライン
６８…プランジャースイッチ
７０…表示部
７１…光源                    ７１Ａ…ＬＥＤ
７２…点灯回路
７３…ランプリーダー
７４…隙間
７５…防水シート
７６…区画リブ
８０…装着ガイド
８１…ガイド溝                ８１Ａ…第一のガイド溝
８１Ｂ…第二のガイド溝
８２…ガイド凸部              ８２Ａ…第一のガイド凸部
８２Ｂ…第二のガイド凸部
８３…嵌着機構
８４…係止リブ                ８４Ａ…水平部
８５…嵌着溝
８６…挿入リブ
８７…係止機構
８８…ロック爪                ８８Ａ…弾性アーム部
８８Ｂ…フック部
８９…係止部
９０…装着ガイド
９１…ガイド溝
９２…ガイド凸部
９３…嵌着機構
９４…係止リブ                ９４Ａ…水平部
９５…嵌着溝
９６…挿入リブ
９７…係止機構
９８…ロック爪                ９８Ａ…弾性アーム部
９８Ｂ…フック部
９９…係止部
【図１】
2014100033.tif 000003
【図２】
2014100033.tif 000004
【図３】
2014100033.tif 000005
【図４】
2014100033.tif 000006
【図５】
2014100033.tif 000007
【図６】
2014100033.tif 000008
【図７】
2014100033.tif 000009
【図８】
2014100033.tif 000010
【図９】
2014100033.tif 000011
【図１０】
2014100033.tif 000012